(57)【要約】      （修正有）【課題】印刷可能なレーベル面を有する不揮発性記憶媒体にデータをバックアップする際にレーベル面への印刷まで行える印刷装置、印刷制御装置及び印刷制御方法を提供する。【解決手段】原稿を読み取って画像データを生成する読み取り手段と、印刷媒体に画像を印刷する第１印刷手段と、印刷可能なレーベル面を有する不揮発性記憶媒体にデータを記憶させる記憶手段と、前記不揮発性記憶媒体のレーベル面に画像を印刷する第２印刷手段と、バックアップ印刷モードの選択を受け付けるモード選択手段と、前記バックアップ印刷モードの選択を受け付けると前記不揮発性記憶媒体にバックアップ対象のデータを記憶させ、前記バックアップ対象のデータに基づく画像を前記印刷媒体に印刷させ、前記画像が印刷されている前記印刷媒体を読み取って生成された画像データが表す前記画像を前記不揮発性記憶媒体のレーベル面に印刷させる制御手段と、を備える印刷装置。【選択図】図１
2007274263.tif 000002
【特許請求の範囲】
【請求項１】
原稿を読み取って画像データを生成する読み取り手段と、
印刷媒体に画像を印刷する第１印刷手段と、
印刷可能なレーベル面を有する不揮発性記憶媒体にデータを記憶させる記憶手段と、
前記不揮発性記憶媒体のレーベル面に画像を印刷する第２印刷手段と、
バックアップ印刷モードの選択を受け付けるモード選択手段と、
前記バックアップ印刷モードの選択を受け付けると前記記憶手段を制御して前記不揮発性記憶媒体にバックアップ対象のデータを記憶させ、前記第１印刷手段を制御して前記バックアップ対象のデータに基づく画像を前記印刷媒体に印刷させ、前記読み取り手段を制御して前記画像が印刷されている前記印刷媒体を読み取らせ、前記読み取り手段で前記印刷媒体を読み取って生成された画像データが表す前記画像を前記第２印刷手段を制御して前記不揮発性記憶媒体のレーベル面に印刷させる制御手段と、
を備える印刷装置。
【請求項２】
前記記憶手段は前記不揮発性記憶媒体を保持するための第１ユニットを有し、前記第１ユニットに保持されている前記不揮発性記憶媒体にデータを記憶させ、
前記第２印刷手段は前記不揮発性記憶媒体を保持するための第２ユニットであって前記第１ユニットとは異なる第２ユニットを有し、前記第２ユニットに保持されている前記不揮発性記憶媒体のレーベル面に画像を印刷する請求項１に記載の印刷装置。
【請求項３】
前記バックアップ対象のデータの中から前記不揮発性記憶媒体のレーベル面に印刷するデータの選択を受け付けるデータ選択手段を更に備え、
前記データに基づく画像は、前記データ選択手段で選択されたデータが表す画像である請求項１又は２に記載の印刷装置。
【請求項４】
前記バックアップ対象のデータは画像データであり、前記バックアップ対象のデータに基づく画像は前記画像データが表す画像または前記画像データが表す画像の縮小画像である請求項１、２又は３に記載の印刷装置。
【請求項５】
前記バックアップ対象のデータが一枚の前記不揮発性記憶媒体に収まらない場合、前記制御手段は前記データを複数の前記不揮発性記憶媒体に分けて記憶させるとともに各前記不揮発性記憶媒体について当該不揮発性記憶媒体に記憶されるデータに基づく画像を前記印刷媒体に印刷させ、各前記不揮発性記憶媒体への記憶及び印刷が全て終了した後に各前記不揮発性記憶媒体について前記読み取り手段を制御して当該不揮発性記憶媒体に対応する前記印刷媒体を読み取らせ、読み取って生成された画像データが表す前記画像を当該不揮発性記憶媒体のレーベル面に印刷させるよう制御する請求項１〜４のいずれか一項に記載の印刷装置。
【請求項６】
前記制御手段は、前記記憶手段が前記不揮発性記憶媒体に前記バックアップ対象のデータを記憶させる工程と前記第１印刷手段が前記データに基づく画像を前記印刷媒体に印刷する工程とが並行して実行されるよう制御する請求項１〜５のいずれか一項に記載の印刷装置。
【請求項７】
バックアップ印刷モードの選択を受け付けるモード選択手段と、
前記バックアップ印刷モードの選択を受け付けると、記憶手段を制御して印刷可能なレーベル面を有する不揮発性記憶媒体にバックアップ対象のデータを記憶させ、第１印刷手段を制御して前記バックアップ対象のデータに基づく画像を印刷媒体に印刷させ、読み取り手段を制御して前記画像が印刷されている前記印刷媒体を読み取らせ、前記読み取り手段で前記印刷媒体を読み取って生成された画像データが表す前記画像を第２印刷手段を制御して前記不揮発性記憶媒体のレーベル面に印刷させる制御手段と、
を備える印刷制御装置。
【請求項８】
モード選択手段がバックアップ印刷モードの選択を受け付ける段階と、
前記バックアップ印刷モードの選択を受け付けると、制御手段が記憶手段を制御して印刷可能なレーベル面を有する不揮発性記憶媒体にバックアップ対象のデータを記憶させ、第１印刷手段を制御して前記バックアップ対象のデータに基づく画像を印刷媒体に印刷させ、読み取り手段を制御して前記画像が印刷されている前記印刷媒体を読み取らせ、前記読み取り手段で前記印刷媒体を読み取って生成された画像データが表す前記画像を第２印刷手段を制御して前記不揮発性記憶媒体のレーベル面に印刷させる段階と、
を含む印刷制御方法。
【発明の詳細な説明】
【技術分野】
【０００１】
本発明は、印刷装置、印刷制御装置及び印刷制御方法に関する。
【背景技術】
【０００２】
ＣＤ−Ｒ、ＤＶＤ−Ｒなどのような印刷可能なレーベル面を有する不揮発性記憶媒体にデータをバックアップする場合、バックアップ対象のデータに基づく画像をレーベル面に印刷しておくと、当該不揮発性記憶媒体にバックアップされているデータの把握が容易になる。この場合、バックアップの際にレーベル面への印刷まで行えると、ユーザにとって使い勝手がよい。
【０００３】
特許文献１には、不揮発性記憶媒体にデータをバックアップするとともに、バックアップしたデータのインデックスをシートに印刷するプリンタが開示されている。しかしながら、特許文献１に記載のプリンタではバックアップしたデータを印刷するとき、元となるデータの形式は電子データのみである。
また、特許文献２には、不揮発性記憶媒体の表面に画像を印刷できるプリンタが開示されている。しかしながら、特許文献２に記載のプリンタはデータのバックアップおよびインデックスの印刷はできない。
【０００４】
【特許文献１】特開２００５−２１０４３３号公報
【特許文献２】特開２００３−２５１８７２号公報
【発明の開示】
【発明が解決しようとする課題】
【０００５】
本発明は、上述の問題を解決するために創作されたものであって、印刷可能なレーベル面を有する不揮発性記憶媒体にデータをバックアップする際にレーベル面への印刷まで行える印刷装置、印刷制御装置及び印刷制御方法を提供することを目的とする。
【課題を解決するための手段】
【０００６】
（１）上記目的を達成するための印刷装置は、原稿を読み取って画像データを生成する読み取り手段と、印刷媒体に画像を印刷する第１印刷手段と、印刷可能なレーベル面を有する不揮発性記憶媒体にデータを記憶させる記憶手段と、前記不揮発性記憶媒体のレーベル面に画像を印刷する第２印刷手段と、バックアップ印刷モードの選択を受け付けるモード選択手段と、前記バックアップ印刷モードの選択を受け付けると前記記憶手段を制御して前記不揮発性記憶媒体にバックアップ対象のデータを記憶させ、前記第１印刷手段を制御して前記バックアップ対象のデータに基づく画像を前記印刷媒体に印刷させ、前記読み取り手段を制御して前記画像が印刷されている前記印刷媒体を読み取らせ、前記読み取り手段で前記印刷媒体を読み取って生成された画像データが表す前記画像を前記第２印刷手段を制御して前記不揮発性記憶媒体のレーベル面に印刷させる制御手段と、を備える。
本発明によると、バックアップ印刷モードが選択されるとバックアップ対象のデータが不揮発性記憶媒体にバックアップされるとともに、バックアップ対象のデータに基づく画像が当該不揮発性記憶媒体のレーベル面に印刷される。すなわち、印刷可能なレーベル面を有する不揮発性記憶媒体にデータをバックアップする際にレーベル面への印刷まで行える。従って、バックアップ対象のデータに基づく画像をレーベル面に印刷しておきたいユーザにとって使い勝手がよい。
【０００７】
（２）前記記憶手段は前記不揮発性記憶媒体を保持するための第１ユニットを有し、前記第１ユニットに保持されている前記不揮発性記憶媒体にデータを記憶させてもよい。前記第２印刷手段は前記不揮発性記憶媒体を保持するための第２ユニットであって前記第１ユニットとは異なる第２ユニットを有し、前記第２ユニットに保持されている前記不揮発性記憶媒体のレーベル面に画像を印刷してもよい。
第２ユニットはレーベル面への印刷のために不揮発性記憶媒体を保持するものであるため、不揮発性記憶媒体を第２ユニットに保持させると当該不揮発性記憶媒体のデータを読み込めない状態になる。このため、当該不揮発性記憶媒体からバックアップ対象のデータに基づく画像を取得することができず、第２ユニットに保持されている当該不揮発性記憶媒体のレーベル面に当該画像を印刷できなくなる。バックアップ対象のデータに基づく画像はバックアップ対象のデータを記憶しているバックアップ元の記憶媒体から取得することも可能である。しかしながら、バックアップ元の記憶媒体がカード型フラッシュメモリなどのような媒体交換型の記憶媒体である場合、バックアップ後にメモリスロットから抜かれてしまうと、バックアップ対象のデータに基づく画像を取得できなくなる。本発明によると、バックアップ対象のデータに基づく画像を印刷媒体に印刷するので、印刷媒体を読み取り手段で読み取って当該画像を表す画像データを生成することにより、バックアップ後にバックアップ元の記憶媒体が抜かれてしまっても、第２ユニットに保持されている当該不揮発性記憶媒体のレーベル面に画像を印刷できる。
【０００８】
（３）前記バックアップ対象のデータの中から前記不揮発性記憶媒体のレーベル面に印刷するデータの選択を受け付けるデータ選択手段を更に備えてもよい。前記データに基づく画像は、前記データ選択手段で選択されたデータが表す画像であってもよい。
本発明によると、ユーザはレーベル面に所望の画像を印刷させることができる。
【０００９】
（４）前記バックアップ対象のデータは画像データであり、前記バックアップ対象のデータに基づく画像は前記画像データが表す画像または前記画像データが表す画像の縮小画像であってもよい。
【００１０】
（５）前記バックアップ対象のデータが一枚の前記不揮発性記憶媒体に収まらない場合、前記制御手段は前記データを複数の前記不揮発性記憶媒体に分けて記憶させるとともに各前記不揮発性記憶媒体について当該不揮発性記憶媒体に記憶されるデータに基づく画像を前記印刷媒体に印刷させ、各前記不揮発性記憶媒体への記憶及び印刷が全て終了した後に各前記不揮発性記憶媒体について前記読み取り手段を制御して当該不揮発性記憶媒体に対応する前記印刷媒体を読み取らせ、読み取って生成された画像データが表す前記画像を当該不揮発性記憶媒体のレーベル面に印刷させるよう制御してもよい。
バックアップはバックアップでまとめて行い、レーベル面への印刷はレーベル面への印刷でまとめて行うようにすると、ユーザが操作を間違える可能性を低減できるので、ユーザにとってより使い勝手がよい。
【００１１】
（６）前記制御手段は、前記記憶手段が前記不揮発性記憶媒体に前記バックアップ対象のデータを記憶させる工程と前記第１印刷手段が前記データに基づく画像を前記印刷媒体に印刷する工程とが並行して実行されるよう制御してもよい。
本発明によると、上述した２つの工程が並行して実行されることにより、作業時間を短縮できる。
【００１２】
（７）上記目的を達成するための印刷制御装置は、バックアップ印刷モードの選択を受け付けるモード選択手段と、前記バックアップ印刷モードの選択を受け付けると、記憶手段を制御して印刷可能なレーベル面を有する不揮発性記憶媒体にバックアップ対象のデータを記憶させ、第１印刷手段を制御して前記バックアップ対象のデータに基づく画像を印刷媒体に印刷させ、読み取り手段を制御して前記画像が印刷されている前記印刷媒体を読み取らせ、前記読み取り手段で前記印刷媒体を読み取って生成された画像データが表す前記画像を第２印刷手段を制御して前記不揮発性記憶媒体のレーベル面に印刷させる制御手段と、を備える。
本発明によると、印刷可能なレーベル面を有する不揮発性記憶媒体にデータをバックアップする際にレーベル面への印刷まで行えるので、ユーザにとって使い勝手がよい。
【００１３】
（８）上記目的を達成するための印刷制御方法は、モード選択手段がバックアップ印刷モードの選択を受け付ける段階と、前記バックアップ印刷モードの選択を受け付けると、制御手段が記憶手段を制御して印刷可能なレーベル面を有する不揮発性記憶媒体にバックアップ対象のデータを記憶させ、第１印刷手段を制御して前記バックアップ対象のデータに基づく画像を印刷媒体に印刷させ、読み取り手段を制御して前記画像が印刷されている前記印刷媒体を読み取らせ、前記読み取り手段で前記印刷媒体を読み取って生成された画像データが表す前記画像を第２印刷手段を制御して前記不揮発性記憶媒体のレーベル面に印刷させる段階と、を含む。
本発明によると、印刷可能なレーベル面を有する不揮発性記憶媒体にデータをバックアップする際にレーベル面への印刷まで行えるので、ユーザにとって使い勝手がよい。
【００１４】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、請求項に記載された方法の各動作の順序は、技術上の阻害要因がない限り、記載順に限定されるものではなく、どのような順番で実行されてもよく、また同時に実行されてもよい。
【発明を実施するための最良の形態】
【００１５】
以下、本発明の実施の形態を実施例に基づいて説明する。
図２は、本発明による印刷装置の一実施例としてのマルチファンクションプリンタ（ＭＦＰ）１の構成を示すブロック図である。ＭＦＰ１は、カード型フラッシュメモリ１５、印刷可能なレーベル面を有する不揮発性記憶媒体としての光ディスク１６、図示しないＰＣ（Personal Computer）、携帯型電話機、ＰＤＡなどから入力される画像データに基づいて画像を印刷する機能と、複写機能と、カード型フラッシュメモリ１５から光ディスク１６へのデータバックアップ機能とを有する。
【００１６】
読み取り手段としてのスキャンユニット２３は、照明部２８、イメージセンサ２５、スキャン処理部２６、キャリッジ駆動部２４等を備える。イメージセンサ２５は、照明部２８によって照明され図示しない結像光学系により受光面に結像される原稿の光学像の濃淡に相関する電気信号を出力する。スキャン処理部２６がイメージセンサ２５を駆動するとともにイメージセンサ２５から出力されるアナログ信号をデジタル化してＲＡＭ２２に出力し、キャリッジ駆動部２４が主走査方向に垂直にイメージセンサ２５又は結像光学系を往復移動させる。その結果、スキャンユニット２３に読み取られた画像データがＲＡＭ２２に格納される。
【００１７】
第１印刷手段および第２印刷手段としてのプリントユニット８は、インクジェット方式の印字ヘッド４、キャリッジ駆動部３、送紙部６、これらを制御する印刷制御部２等を備える。印刷制御部２は、ＲＡＭ２２に格納された印刷データに基づいて、送紙部６に用紙を印字ヘッド４の移動方向軸線と垂直な方向に搬送させ、キャリッジ駆動部３に用紙の搬送方向と垂直に印字ヘッド４を往復移動させ、印字ヘッド４からインクを噴射させることにより、用紙に画像を形成する。印刷制御部２は、送紙部６に第２ユニットとしての印刷用トレイ５を印字ヘッド４の移動方向軸線と垂直な方向に搬送させ、印刷用トレイ５に載置された光ディスク１６のレーベル面に向かって印字ヘッド４からインクを噴射させることにより、光ディスク１６のレーベル面に画像を印刷する。
【００１８】
ディジタル画像処理部９は、ＪＰＥＧ画像データのデコード、解像度変換、アンシャープ処理、階調補正、二値化、分版処理等の画像処理をＣＰＵ２０と協働して実行し、印刷対象の画像データから印刷データを生成するＤＳＰ等の専用回路である。
カードメモリインタフェース１３は、カードスロット１４から挿入されたカード型フラッシュメモリ１５に接続される。カードメモリインタフェース１３はカード型フラッシュメモリ１５からデータを読み出し、読み出したデータをＲＡＭ２２に転送する。またカードメモリインタフェース１３はＲＡＭ２２から転送されたデータをカード型フラッシュメモリ１５に書き込む。
【００１９】
記憶手段としての光ディスクインタフェース１１は、第１ユニットとしてのディスクスロット１２に挿入された光ディスク１６からデータを読み出し、読み出したデータをＲＡＭ２２に転送する。また光ディスクインタフェース１１はＲＡＭ２２から転送されたデータを光ディスク１６に書き込む。本実施形態では書き込み可能な不揮発性記憶媒体のみが対象となるため、光ディスクインタフェース１１はＤＶＤ−ＲＷ、ＤＶＤ−ＲＡＭ、ＣＤ−ＲＷ等の規格に準拠した構成である。本実施形態では光ディスク１６としてＣＤ−ＲＷを例に説明する。以降の説明において単にＣＤという場合はＣＤ−ＲＷのことをいうものとする。
【００２０】
通信部１８は、制御部１９がＰＣ、携帯型電話端末、ＰＤＡ等の外部のシステムと通信するための通信インタフェースである。通信部１８は、ＬＡＮ、インターネット、ＵＳＢ等を通じて外部のシステムと通信する。尚、カード型フラッシュメモリ１５、ＣＤなどの外部記憶媒体のインタフェースがＭＦＰ１から独立した装置として構成され、通信部１８を介してＭＦＰ１と接続される構成でもよい。
【００２１】
印刷制御装置としての制御部１９は、ＲＡＭ２２、フラッシュメモリ２１及びＣＰＵ２０を備える。ＣＰＵ２０はフラッシュメモリ２１に格納されている制御プログラムを実行してＭＦＰ１の各部を制御する。フラッシュメモリ２１は、制御プログラムを格納している不揮発性メモリである。ＲＡＭ２２は、カードメモリインタフェース１３、通信部１８又はスキャンユニット２３から入力される画像データや制御プログラムが一時的に格納される揮発性メモリである。制御プログラムは遠隔地のサーバからネットワークを経由してフラッシュメモリ２１に格納してもよいし、カード型フラッシュメモリ１５等のコンピュータ読み取り可能な記録媒体を経由してフラッシュメモリ２１に格納してもよい。制御部１９は制御プログラムを実行することにより、読み取り手段、第１印刷手段、第２印刷手段、記憶手段、モード選択手段、データ選択手段および制御手段として機能する。
【００２２】
モード選択手段およびデータ選択手段としての操作部１０は、図３に示す操作パネルと図示しないグラフィックコントローラとボタン入力インタフェース回路とを備えている。ＦＰＤ（Flat Panel Display）３８は制御部１９によって形成された画面データが表す画面画像を表示する。尚、ＧＵＩ（Graphical User Interface）を実現するための画面画像のことを単に画面というものとする。操作パネルにはＭＦＰ１を操作するための複数のボタンとＭＦＰ１の状態を表示するための複数のインジケータ３０、３２、３５、５１、５４、５６が設けられている。ボタン３１は電源ボタンである。ボタン３３、３４、５２、５３、５５はモード選択ボタンである。ボタン３６は表示切り換えボタンである。ボタン５０はセットアップモードへの切り換えボタンである。ボタン３９は印刷設定モードへの切り換えボタンである。［戻る］ボタン４９は直前のメニューに戻る指示を入力するためのバックボタンである。なお、図中では［戻る］を［Ｂ］と表している。ボタン４５、４６、４７、４８はメニュー操作のための十字キーを構成している。［ＯＫ］ボタン４０はメニューの項目選択を決定するためのボタンである。ボタン４１、４４は印刷枚数の設定を増減させる指示を入力するためのボタンである。ボタン４２は印刷開始、バックアップ開始などの各種の指示を入力するためのボタンである。［中止］ボタン４３は処理の中止指示を入力するためのボタンである。
【００２３】
次に、ＭＦＰ１がデータを光ディスクにバックアップする際の光ディスクへの格納形式について説明する。
本実施形態では、ＭＦＰ１はデータをＭＰＶ（MultiPhoto/Video）形式でバックアップする。ＭＰＶは、デバイス毎に異なるファイルシステムに依存せずに、どのようなデバイスでもＣＤに格納されている画像データや音声データを利用可能にすることを目的としてＯＳＴＡ（The Optical Storage Technology Association）によって制定されている統一規格である。ＭＰＶは、ＣＤに格納されているファイルについてコンテンツの種類やタイトルやパスをＸＭＬ形式のメタデータファイル（マニフェストという。）に記述することを定めている。以下、ＭＰＶに準拠したファイルシステムを例にしてマニフェストの構成を説明する。尚、ＣＤのルートディレクトリに格納されるマニフェストをルートマニフェストといい、フォルダ毎に格納されるマニフェストをサブマニフェストというものとする。
【００２４】
図４は、マニフェストの構成を説明するための模式図である。
ルートマニフェスト６０は、リンク情報６１、６４、アルバム情報６５、アセット情報７５、８０を含むメタデータファイルである。各情報はタグによってＸＭＬ形式で構造化されている。
リンク情報６１、６４は、サブマニフェスト８２の名称６２とパス６３とをそれぞれ含む。
【００２５】
アセットとはデバイスのアクセスターゲットの単位であって、１又は複数のファイルに対応する。アセット情報７５、８０は、１つのアセットについての名称７６、パス７７、カテゴリー名７８、作成日時７９等のメタデータで構成されている。
アルバムとは、１又は複数のアセットの集合体であって、通常、複数のファイルに対応する。アルバム情報６５は、対応する複数のアセットを代表する名称としてのアルバム名６６と、対応する複数のアセットの個々に対応する複数のアセット情報６８、７３、７４を含む。すなわち、アルバム情報は、複数のフォルダに格納されているが何らかの観点でグループ化され得る複数のファイルのメタデータを一元管理する情報である。
【００２６】
サブマニフェスト８３は、それによって管理されるアセットと同じフォルダ８１内に格納される。その他の点について、サブマニフェスト８３とルートマニフェスト６０との違いはない。サブマニフェスト８３をその管理対象のアセットと同じフォルダ８１に格納することにより、フォルダごとデータをバックアップするだけでマニフェストをもバックアップすることができるため、データの管理が容易になる。
【００２７】
以上説明したルートマニフェスト６０及びサブマニフェスト８２をＣＤに格納することは、ＭＰＶに準拠したあらゆるデバイスがＣＤ内に格納されているアセットを利用したり、検索したりすることを可能にする。例えば、ルートマニフェスト６０に記述されているアセット情報のカテゴリー名をキーにして検索を実行すれば、特定のカテゴリー名がメタデータとして設定されているファイルを全て検出することができる。
【００２８】
次に、ＭＦＰ１によるＣＤへのバックアップおよびＣＤのレーベル面への印刷（以下「バックアップ印刷」という。）について説明する。
図１は、バックアップ印刷の概略を示すデータフロー図である。ＣＤのレーベル面に印刷される円形の画像２５３はＣＤにバックアップされている画像データに基づく画像である。ただし、画像２５３はＣＤから読み込んで印刷したものではなく、カード型フラッシュメモリ１５から読み込んで印刷されたものである。ＭＦＰ１はカード型フラッシュメモリ１５から８つの画像データを読み込み、読み込んだ８つの画像データの縮小画像２５２を輪のように配置してレーベル面に印刷するための円形の画像２５３を生成し、生成した円形の画像２５３をプリントユニット８で印刷媒体２５１に印刷し、印刷媒体２５１に印刷されている円形の画像２５３をスキャンユニット２３で読み取り、読み取って生成した画像データが表す円形の画像２５３をプリントユニット８でＣＤのレーベル面に印刷したものである。なお、レーベル面には読み込んだ画像データの縮小画像ではなく画像からレーベル面に収まる範囲を抽出して印刷してもよい。また、画像データの数は８に限定されるものでなく、必要に応じて適宜変更可能してよい。
【００２９】
図５および図６はバックアップ印刷の処理の流れを示すフローチャートである。図７、図８、図９および図１０はバックアップ印刷における画面遷移図である。図１１、図１２、図１３および図１４は画面を拡大して示す模式図である。
ＭＦＰ１ではファンプリントモードを選択するためのモード選択ボタン５３が押されると、インジケータ５４が点灯し、以下に示す処理が開始される。
【００３０】
Ｓ１０５では、ＣＰＵ２０はＦＰＤ３８に画面１００を表示してユーザにモードを選択させる。画面１００はファンプリントモードに従属する複数のモードのメニューを構成している。アイコン１０１、１０２、１０３はそれぞれファンプリントモードに従属するモードを表している。アイコン１０１、１０２、１０３のいずれかが十字キーを構成するボタン４５、４８によって選択され、［ＯＫ］ボタン４０が押されると、各アイコンに対応するモードに遷移する。テキスト１０９は操作をユーザに案内する文である。アイコン１０４、１０６、テキスト１０５、１０７はボタンと処理との対応関係を示している。アイコン１０８はインク残量のインジケータである。ＣＰＵ２０は、アルバムモードに対応するアイコン１０２が選択された状態で［ＯＫ］ボタン４０が押されるとアルバムモードに遷移し、Ｓ１１０に進む。アルバムモードは、カード型フラッシュメモリ１５又はＣＤに格納されているデータを一括処理するモードである。
【００３１】
Ｓ１１０では、ＣＰＵ２０はＦＰＤ３８に画面１１０を表示してユーザに処理を選択させる。画面１１０はアルバムモードで実行可能な処理のメニュー１１１を構成している。アルバムモードでは、以下の１から５の処理が実行可能である。
「アルバム作成（全てＢａｃｋｕｐ）」は、カード型フラッシュメモリ４５に記憶されている全ての画像ファイルをＣＤにバックアップし、それら全ての画像ファイルからなるアルバムのマニフェストをＣＤに記録する処理である。
【００３２】
「アルバム作成（選んでＢａｃｋｕｐ）」は、ユーザによって選択された画像ファイルのみをＣＤにバックアップし、それら選択された画像ファイルからなるアルバムのマニフェストをＣＤに記録する処理である。
「アルバム作成（日付でＢａｃｋｕｐ）」は、ユーザによって指定された撮像日に撮像された画像ファイルをＣＤにバックアップし、当該撮像日に撮影された画像ファイルからなるアルバムのマニフェストをＣＤに記録する処理である。
【００３３】
「アルバム印刷」は、カード型フラッシュメモリ１５又はＣＤに格納されている画像ファイルのうちアルバムとして管理されているものを印刷する処理である。
「検索印刷」は、カード型フラッシュメモリ１５又はＣＤに格納されている画像ファイルのうちカテゴリ名又は作成日時をキーにして検出されるものを印刷する処理である。
【００３４】
ユーザはボタン４６、４７によって項目を選択できる。「アルバム作成（全てＢａｃｋｕｐ）」、「アルバム作成（選んでＢａｃｋｕｐ）」または「アルバム作成（日付でＢａｃｋｕｐ）」のいずれかが選択されるとＭＦＰ１は「バックアップ印刷モード」に遷移する。ＣＰＵ２０はいずれかのアルバム作成が選択されている状態で［ＯＫ］ボタン４０が押されるとＳ１１５に進む。
【００３５】
Ｓ１１５では、ＣＰＵ２０はカードメモリインタフェース１３を用いてカード型フラッシュメモリ１５に格納されている画像ファイルを検索し、１以上の画像ファイルが検出されると検出された画像ファイル群を管理するためのファイルリストを作成する。この間、ＣＰＵ２０は画面１１２を表示してカード型フラッシュメモリ１５を読み込み中であることをユーザに通知し、読み込み後、画面１１４を表示して検出した画像ファイルの数をユーザに通知する。カード型フラッシュメモリ１５に画像ファイルがない場合は画面１１３を表示して画面１１０に戻る。
【００３６】
Ｓ１２０では、ＣＰＵ２０は画面１１５を表示してパーソナルコンピュータ（ＰＣ）とＭＦＰ１との接続を終了するようにユーザに案内する。このような案内をする理由は、カードメモリインタフェース１３及び光ディスクインタフェース１１が通信部１８に接続されているＰＣから利用可能だからである。ＣＰＵ２０は［ＯＫ］ボタン４０が押されるとＳ１２５に進む。
【００３７】
Ｓ１２５では、Ｓ１１０でいずれの処理が選択されたかを判定し、「アルバム作成（全てＢａｃｋｕｐ）」が選択された場合はＳ１４０に進み、「アルバム作成（選んでＢａｃｋｕｐ）」が選択された場合はＳ１３０に進み、「アルバム作成（日付でＢａｃｋｕｐ）」が選択された場合はＳ１３５に進む。
Ｓ１３０では、ＣＰＵ２０は画面１１６を表示してユーザにバックアップ対象の画像ファイルを選択させる。画面１１６は、バックアップ対象ファイルを選択するためのメニューを構成している。カード型フラッシュメモリ１５から検出された画像ファイルは、その画像ファイルに格納されている主画像データ又はサムネイル画像データに基づいて表示される画像タイル１１６ａによってユーザに案内される。各画像タイル１１６ａについてチェックボックス１１６ｂが表示される。十字キーを構成するボタン４５、４６、４７、４８を押すことにより、いずれかの画像タイル１１６ａを選択可能である。画像タイル１１６ａが選択されている状態でボタン４１が押されると、選択されている画像タイル１１６ａに対応する画像ファイルがバックアップ対象ファイルとして設定され、選択されている画像タイル１１６ａのチェックボックス１１６ｂにチェックマーク１１６ｃが表示される。画像タイル１１６ａが選択されている状態でボタン４４が押されると、選択されている画像タイル１１６ａに対応する画像ファイルがバックアップ対象から除外される。１以上の画像タイル１１６ａが選択されている状態で［ＯＫ］ボタン４０が押されると、バックアップ対象ファイルが確定する。
【００３８】
Ｓ１３５では、ＣＰＵ２０は画面１１７を表示してユーザに日付を選択させる。画面１１７は、日付を選択するためのメニューを構成している。メニューには、カード型フラッシュメモリ１５から検出された画像ファイルについて、画像ファイルが生成された日付１１１７ｂ、その日付で生成された画像ファイルの枚数１１７ｃ、その日付で生成された画像ファイルのうちいずれか代表する画像ファイルに格納されている主画像データ又はサムネイル画像データに基づく画像タイル１１７ａが表示される。代表する画像ファイルは例えば最も早い時間に生成された画像ファイルである。各日付には選択のためのチェックボックス１１７ｄが表示される。日付の選択方法は画面１１６と実質的に同一である。
【００３９】
Ｓ１４０では、ＣＰＵ２０は画面１１８を表示してユーザにアルバムのカテゴリーを選択させる。画面１１８は、バックアップ対象ファイルの全てに関連付けるカテゴリー名を選択するためのメニューを構成している。カテゴリー名のリスト１１８ａは、フラッシュメモリ２１に格納されているカテゴリーグループに基づいて表示される。本実施形態では、カード型フラッシュメモリ１５から検出された画像ファイルがバックアップ対象であるため、ＣＰＵ２０は画像ファイルに対応するカテゴリーグループをフラッシュメモリ２１から取得し、取得したカテゴリーグループに基づいてリスト１１８ａが表示される。その結果、カテゴリーグループを構成しているカテゴリー名がバックアップ対象ファイルに関連付けられるカテゴリー名の選択候補としてユーザに案内される。ユーザは十字キーを構成するボタン４６、４７によってカテゴリーを選択可能である。カテゴリーが選択されている状態で［ＯＫ］ボタン４０が押されると、カテゴリーが確定する。
【００４０】
Ｓ１４５では、ＣＰＵ２０は画面１１９を表示し、バックアップする画像でＣＤのレーベル面に画像を印刷できることをユーザに案内する。ＣＰＵ２０は［ＯＫ］ボタン４０が押された場合はＳ１２５に進み、［戻る］ボタン４９が押された場合は画面１１８に戻る。
Ｓ１５０では、ＣＰＵ２０はディスクスロット１２にＣＤがセットされているかを判定する。ＣＰＵ２０はＣＤがセットされていればＳ１５５に進み、セットされていなければ図示しない画面を表示してユーザにＣＤをセットするよう指示する。ＣＤをセットするよう指示が表示された場合、ユーザはディスクスロット１２にＣＤをセットした後に所定の操作ボタンを押す。ＣＰＵ２０は当該所定のボタンが押されるとＣＤがセットされているかを再判定し、セットされていればＳ１５５に進む。
【００４１】
Ｓ１５５では、ＣＰＵ２０はディスクスロット１２にセットされているＣＤが書き込み可能な種類であるかを判定する。例えばＣＤ−ＲＷは書き込み可能な種類であり、ＣＤ−ＲＯＭは書き込み不可能な種類である。ＣＰＵ２０は、書き込み可能な種類であればＳ１６０に進み、書き込み不可能な種類であればＣＤをドライブから排出させ、書き込み可能な種類のＣＤの挿入を促す図示しないメッセージを表示する。ユーザは書き込み可能な種類のＣＤをディスクスロット１２にセットした後に所定の操作ボタンを押し、ＣＰＵ２０は当該所定のボタンが押されると書き込み可能な種類であるかを再判定し、書き込み可能な種類であればＳ１６０に進む。
【００４２】
Ｓ１６０では、ＣＰＵ２０はＳ１１０で選択された処理に応じた画像ファイルのデータ量を合計し、ＣＤの空き容量以内であるかを判定する。
画像ファイルのデータ量が空き容量以内の場合は、ＣＰＵ２０は画面１２０ａに示すように「バックアップを開始しますか？」というメッセージを表示する。ＣＰＵ２０は［ＯＫ］ボタン４０が押されるとＳ１６５に進む。
【００４３】
画像ファイルのデータ量が空き容量を超えている場合は、ＣＰＵ２０は画面１２０ｂに示すように「ＣＤ１枚に収まりませんが、バックアップを開始しますか？」というメッセージを表示する。ＣＰＵ２０は［ＯＫ］ボタン４０が押されるとＳ１６５に進む。
画像ファイルのデータ量が空き容量を超えている場合で、２枚目以降のＣＤにバックアップする場合は、ＣＰＵ２０は画面１２０ｃに示すように「バックアップを継続しますか？」というメッセージを表示する。ＣＰＵ２０は［ＯＫ］ボタン４０が押されるとＳ１６５に進み、［中止］ボタン４３が押されると処理を終了する。
【００４４】
Ｓ１６５では、ＣＰＵ２０は画面１２１を表示してレーベル面に印刷する画像データをユーザに選択させる。本実施形態では図１に示すようにレーベル面に８つのディジタル画像の縮小画像を印刷する。このため選択できる画像データの数は８画像までである。なお、レーベル面に印刷する画像をＭＦＰ１が自動で選択するようにしてもよい。
【００４５】
Ｓ１７０では、ＣＰＵ２０は画面１２２に示すように「オートシートフィーダにＡ４サイズの印刷用紙をセットしてください。」というメッセージを表示してユーザに印刷媒体のセットを指示する。ユーザはオートシートフィーダ（ＡＤＦ）にＡ４サイズの印刷媒体がセットされていなければ指示に従って印刷媒体をセットした後、［ＯＫ］ボタン４０を押す。ＣＰＵ２０は［ＯＫ］ボタン４０が押されるとＳ１７５に進む。
【００４６】
Ｓ１７５では、ＣＰＵ２０はＳ１１０で選択されたアルバム作成の種類に応じた画像データをリムーバブルメモリ４５から読み込み、読み込んだ画像データをＭＰＶ形式でＣＤにバックアップする。一般にバックアップには時間を要するので、バックアップを実行している間、ＣＰＵ２０は画面１２３を表示してバックアップ中であることをユーザに通知する。このとき、ＣＰＵ２０は、Ｓ１６０で画像データのデータ量がＣＤの空き容量を超えていると判定した場合はＣＤに収まる分の画像データのみをバックアップする。
【００４７】
Ｓ１８０では、ＣＰＵ２０はＳ１６５で選択された画像データに基づく円形の画像２５３を生成する。
Ｓ１８５では、ＣＰＵ２０は生成した円形の画像２５３を図１に示すように紙等の印刷媒体２５１に印刷する。
ＣＰＵ２０は、上述したＳ１７５でバックアップを行う工程と、Ｓ１８０およびＳ１８５で印刷媒体２５１に円形の画像２５３を印刷する工程とを並行して実行する。これら２つの工程が並行して実行されることにより、作業時間を短縮できる。なお、これら２つの工程は完全に並行して実行されてもよいし、工程の一部のみが並行して実行されてもよい。
【００４８】
Ｓ１９０では、ＣＰＵ２０は、画像ファイルを１枚のＣＤにバックアップする場合は画面１２４ａを表示してバックアップが終了したことをユーザに案内し、Ｓ１９５に進む。複数枚のＣＤにバックアップする場合は画面１２４ｂを表示してバックアップが終わったＣＤの枚数を表示するとともに、画面１２５を表示してユーザにＣＤの交換を要求する。ＣＰＵ２０は画面１２５で［ＯＫ］ボタン４０が押されると、Ｓ１５０に戻ってバックアップ対象の全ての画像ファイルのバックアップが終了するまで処理を繰り返し、全ての画像ファイルのバックアップが終了していればＳ１９５に進む。
【００４９】
本実施例ではバックアップ対象のデータが一枚のＣＤに収まらない場合はデータのバックアップが全て終わってから以降のステップに進む。例えば２つの操作を交互に繰り返す場合は１操作毎に操作内容が切り替わる。操作内容が頻繁に切り替わると使い難いと感じるユーザもいる。一方の操作をまとめて行ってから他方の操作をまとめて行うようにすると、そのようなユーザにとって使い勝手がよい。
【００５０】
Ｓ１９５では、ＣＰＵ２０は画面１２６に示すように「出力された用紙を原稿台におき、ＣＤを印刷用トレイにおいてプリンタにセットしてください。」というメッセージを表示する。ユーザは指示に従って印刷媒体２５１を原稿台にセットするとともに、ＣＤを印刷用トレイ３９においてプリンタにセットした後、［印刷開始］ボタン４２を押す。
【００５１】
Ｓ２００では、ＣＰＵ２０はスキャンユニット２３を制御して印刷媒体２５１を読み取り、円形の画像２５３を表す画像データを生成する。
Ｓ２０５では、ＣＰＵ２０はプリントユニット８を制御し、印刷用トレイ３９にセットされているＣＤのレーベル面にＳ２００で生成した画像データが表す円形の画像２５３を印刷する。この間、ＣＰＵ２０は画面１２７を表示して印刷中であることをユーザに案内する。この間に［中止］ボタン４３が押されるとＣＰＵ２０は印刷を中止して処理を終了する。
【００５２】
Ｓ２１０では、全てのＣＤのレーベル面に画像を印刷したかを判定する。例えば画像データを複数のＣＤに分けてバックアップした場合は、画像データをバックアップしたＣＤの数とレーベル面への印刷を行った回数とを比較することによって判断する。ＣＰＵ２０はレーベル面に画像を印刷していないＣＤがある場合はＳ１９５に戻って処理を繰り返し、全てのＣＤのレーベル面への印刷が終了した場合は処理を終了する。
【００５３】
以上説明した本発明の一実施例に係るＭＦＰ１によると、バックアップ印刷モードが選択されるとバックアップ対象のデータがＣＤにバックアップされるとともに、バックアップ対象のデータに基づく画像が当該ＣＤのレーベル面に印刷される。すなわち、ＣＤにデータをバックアップする際にレーベル面への印刷まで行える。従って、バックアップ対象のデータに基づく画像をレーベル面に印刷しておきたいユーザにとって使い勝手がよい。
【００５４】
また、ＭＦＰ１によると、バックアップ印刷モードのとき進行状況に応じて操作を適宜案内するので、ユーザは案内に従って操作することにより、バックアップの際にレーベル面への印刷までをより容易に行うことができる。
また、ＭＦＰ１によると、レーベル面に印刷する円形の画像２５３を一旦印刷媒体２５１に印刷し、印刷媒体２５１を読み取ってレーベル面に印刷する。一旦印刷媒体２５１に印刷しておくと、ユーザが何等かの理由でバックアップ印刷を途中で中止しても、後で印刷媒体２５１を用いてレーベル面への印刷を行うことができる。また、印刷媒体２５１はＣＤの管理に利用することもできる。
【００５５】
なお、本実施例では印刷装置をＭＦＰ１で構成する場合を例に説明したが、例えばリムーバブルメモリ４５を読み書き可能なパーソナルコンピュータ、プリンタ、イメージスキャナ、ＣＤドライブなどで印刷装置を構成してもよい。この場合、パーソナルコンピュータは印刷制御装置に相当する。
なお、本発明は上記実施例に限定されるものではなく、その要旨を逸脱しない範囲で種々の実施形態に適用可能である。
【図面の簡単な説明】
【００５６】
【図１】本発明の一実施例に係るデータフロー図。
【図２】本発明の一実施例に係る印刷装置の模式図。
【図３】本発明の一実施例に係る操作部の模式図。
【図４】本発明の一実施例に係るマニフェストの模式図。
【図５】本発明の一実施例に係るフローチャート。
【図６】本発明の一実施例に係るフローチャート。
【図７】本発明の一実施例に係る画面遷移図。
【図８】本発明の一実施例に係る画面遷移図。
【図９】本発明の一実施例に係る画面遷移図。
【図１０】本発明の一実施例に係る画面遷移図。
【図１１】本発明の一実施例に係る画面の模式図。
【図１２】本発明の一実施例に係る画面の模式図。
【図１３】本発明の一実施例に係る画面の模式図。
【図１４】本発明の一実施例に係る画面の模式図。
【符号の説明】
【００５７】
１  マルチファンクションプリンタ（印刷装置）、５  印刷用トレイ（第２ユニット）、８  プリントユニット（第１印刷手段、第２印刷手段）、１０  操作部（モード選択手段、データ選択手段）、１１  光ディスクインタフェース（記憶手段）、１２  ディスクスロット（第１ユニット）、１６  光ディスク（不揮発性記憶媒体）、１９  制御部（読み取り手段、第１印刷手段、第２印刷手段、記憶手段、モード選択手段、データ選択手段、制御手段、印刷制御装置）、２３  スキャンユニット（読み取り手段）
【図１】
2007274263.tif 000003
【図２】
2007274263.tif 000004
【図３】
2007274263.tif 000005
【図４】
2007274263.tif 000006
【図５】
2007274263.tif 000007
【図６】
2007274263.tif 000008
【図７】
2007274263.tif 000009
【図８】
2007274263.tif 000010
【図９】
2007274263.tif 000011
【図１０】
2007274263.tif 000012
【図１１】
2007274263.tif 000013
【図１２】
2007274263.tif 000014
【図１３】
2007274263.tif 000015
【図１４】
2007274263.tif 000016